(57)【要約】【課題】薄型化を図ることができ、かつコストを削減することのできる電気音響変換装置を提供すること。【解決手段】薄型基板２上に、導線パターン８が形成された振動部９と、この振動部９の前記導線パターン８における少なくとも一部に対して磁力線が直交するように配設された磁石１０，１１とを有すること。【選択図】      図１
2004173093.tif 000002
【特許請求の範囲】
【請求項１】
薄型基板上に、導線パターンが形成された振動部と、この振動部の前記導線パターンにおける少なくとも一部に対して磁力線が直交するように配設された磁石とを有することを特徴とする電気音響変換装置。
【請求項２】
前記導線パターンは、平面形状が所定の巻き数を有するコイル状に形成されてなることを特徴とする請求項１に記載の電気音響変換装置。
【発明の詳細な説明】
【０００１】
【産業上の利用分野】
本発明は、電気音響変換装置に係り、特に、薄型基板上に、振動部と磁石とを有する電気音響変換装置に関する。
【０００２】
【従来の技術】
近年、デジタルカメラ等の電子機器においては、スピーカまたはマイクロホン等の電気音響変換装置を搭載した構成が採用されるようになっている。
【０００３】
図３および図４は、このような電気音響変換装置の一例を示すものであり、この電気音響変換装置１は、メンブレンやＦＰＣ等の薄型基板２の上における所定の位置に、導線の引き回し部３に接続された振動部４を実装している。この振動部４は、ケース５の内部に、前記引き回し部３に連結された図示しないコイルが内蔵されることにより構成されており、このコイルには、永久磁石（図示せず）による磁場が及ぶようになっている。
【０００４】
ここで、電気音響変換装置１がスピーカの場合は、前記コイルに電気信号として電流を流すと、この電流に対して前記磁石の磁場によりフレミングの左手の法則に従った電磁力が作用し、この電磁力によって前記振動部が振動して音声を発する。すなわち、スピーカの場合は、入力された電気信号が音声に変換されて振動部から出力されるようになっている。
【０００５】
一方、電気音響変換装置１がマイクロホンの場合は、外部から振動部に対して音声を入力して振動部を前記コイルとともに振動させると、このコイルを貫く磁石の磁束鎖交数が変化することによって、コイルに誘導起電力が発生し、この誘導起電力によって電流が生じる。すなわち、マイクロホンの場合は、振動部に入力された音声が電流すなわち電気信号に変換されるようになっている。
【０００６】
【特許文献１】
特開平１０−１７８６９７号公報（第１図）
【０００７】
【発明が解決しようとする課題】
しかし、従来の電気音響変換装置においては、振動部４の厚みによって薄型化を図ることができず、また、製造コストが高価になってしまうといった問題が生じていた。
【０００８】
本発明は、このような問題点に鑑みなされたもので、薄型化を図ることができ、かつコストを削減することのできる電気音響変換装置を提供することを目的とするものである。
【０００９】
【課題を解決するための手段】
前記目的を達成するため本発明に係る電気音響変換装置の特徴は、薄型基板上に、導線パターンが形成された振動部と、この振動部の前記導線パターンにおける少なくとも一部に対して磁力線が直交するように配設された磁石とを有する点にある。
【００１０】
そして、このような構成を採用したことにより、薄型基板上に導線パターンを直に形成することによって、前記振動部を安価にかつ薄型に形成することができる。
【００１１】
また、本発明に係る電気音響変換装置の特徴は、前記導線パターンが、平面形状が所定の巻き数を有するコイル状に形成されてなる点にある。
【００１２】
そして、このような構成を採用したことにより、電気音響変換装置がスピーカの場合は、磁石によって通電状態の導線パターンに作用させる電磁力を大きくすることができ、振動部をさらに効率的に振動させることができ、また、電気音響変換装置がマイクロホンの場合は、外部からの音声を受けて振動部が振動する際に電磁誘導によって導線パターンに発生する誘導起電力を大きくすることができ、音声をより適正に電気信号に変換することができる。
【００１３】
【発明の実施の形態】
以下、本発明に係る電気音響変換装置の実施形態について図１および図２を参照して説明する。
【００１４】
なお、従来と基本的構成の同一若しくはこれに類する箇所については、同一の符号を用いて説明する。
【００１５】
図１に示すように、本実施形態における電気音響変換装置７は、メンブレンやＦＰＣ等からなる可撓性の薄型基板２の上に、導線パターン８が直接形成された振動部９を有している。
【００１６】
前記導線パターン８は、平面形状が所定の巻き数を有する四角形のコイル状に形成されている。なお、図１においては、コイルの巻き数が５回となるように導線パターン８が形成されているが、コイルの巻き数は、コンセプトに応じて種々変更することができる。
【００１７】
前記導線パターン８の図１における左右の外側近傍位置には、一対の磁石１０，１１が配設されており、これら一対の磁石１０，１１は、導線パターン８における図１の縦方向に長尺な複数本の線部１３に対して導線パターン８の内側方向に向かって直交する磁場を及ぼすようになっている。
【００１８】
従って、電気音響変換装置７がスピーカの場合、導線パターン８に通電を行うことによって前記線部１３に対してフレミングの左手の法則に従って図２における上方向または下方向の電磁力を作用させることができるようになっている。
【００１９】
また、電気音響変換装置７がマイクロホンの場合、外部からの音声を受けて振動部９が振動することによって、導線パターン８を貫く磁束鎖交数が変化し、これによって導線パターン８に誘導起電力を生じさせて電気信号としての電流に変換することができるようになっている。
【００２０】
このように、本実施形態においては、薄型基板２の上に導線パターン８を直接パターニングして振動部９を形成することによって、従来のように既製の振動部４を薄型基板２に実装する場合に比べて振動部９の厚さを薄くすることができ、さらに、製造コストを安価にすることができるようになっている。
【００２１】
さらに、導線パターン８を前述のように所定巻き数のコイル状に形成したことによって、電気音響変換装置がスピーカの場合は、磁石１０，１１によって通電状態の導線パターン８に作用させる電磁力を大きくすることができ、振動部９をさらに効率的に振動させることができるようになっている。
【００２２】
また、電気音響変換装置７がマイクロホンの場合においても、外部からの音声を受けて振動部９が振動する際に電磁誘導によって導線パターン８に発生する誘導起電力を大きくすることができ、音声をより適正に電気信号に変換することができるようになっている。
【００２３】
次に、本実施形態の作用について説明する。
【００２４】
なお、便宜上、以下の説明においては、電気音響変換装置７をスピーカとして機能させる。
【００２５】
まず、図示しない電源によって前記導線パターン８に対して電気信号として所定の周波数の交流電流を入力する。
【００２６】
これにより、まず、コイル状の導線パターン８における中央部の開孔８ａを隔てて図２の右側に位置する各線部１３には、図２に示すように紙面奥側へ向かう電流が流れ、左方に位置する各線部１３には、図２における紙面手前側へ向かう電流が流れる。
【００２７】
そして、前記各線部１３を流れる電流には、図２における左方または右方から各線部１３に対して直交する前記磁石１０，１１の磁場によって電磁力が作用する。より具体的には、図２の矢印に示すように、各線部１３に対してフレミングの左手の法則に従って上方向へ向かう電磁力が作用する。
【００２８】
これにより、前記導線パターン８が形成された振動部９が電磁力によって導線パターン８とともに上方へ反るように弾性変形する。
【００２９】
次に、導線パターン８に対する通電方向が逆になった場合は、今度は、各線部１３に対して下方向へ向かう電磁力が作用し、これによって振動部９が下方へ反るように弾性変形する。
【００３０】
これにより、振動部９を振動方向に振動させて音声を出力させることができる。
【００３１】
なお、本実施形態においては、導線パターン８を所定巻き数のコイル状に形成して複数本の線部１３を並設することによって振動部９に作用する電磁力を大きくすることができ、この結果、振動部９をより適正に振動させて良好な音声を得ることができる。
【００３２】
なお、本発明は前記実施形態のものに限定されるものではなく、必要に応じて種々変更することが可能である。
【００３３】
例えば、前記実施形態においては、磁石１０，１１をコイル状の導線パターン８の外側近傍位置に配設しているが、これに限る必要はなく、両磁石１０，１１を導線パターン８の内側近傍位置に配設するようにしてもよい。
【００３４】
また、前記実施形態においては、電気音響変換装置の例としてスピーカを挙げているが、本発明は、マイクロホンにも適用可能なものである。
【００３５】
【発明の効果】
以上述べたように、本発明に係る電気音響変換装置によれば、薄型の電気音響変換装置を安価に製造することができる。
【００３６】
また、本発明に係る電気音響変換装置によれば、電気信号を適正に音声に変換することができ、また、音声を適正に電気信号に変換することができる。
【図面の簡単な説明】
【図１】本発明に係る電気音響変換装置の実施形態を示す平面概略図
【図２】図１の側面図
【図３】従来から採用されていた電気音響変換装置の一例を示す平面概略図
【図４】図３の側面図
【符号の説明】
２  薄型基板
７  電気音響変換装置
８  導線パターン
９  振動部
１０，１１  磁石
１３  線部
【図１】
2004173093.tif 000003
【図２】
2004173093.tif 000004
【図３】
2004173093.tif 000005
【図４】
2004173093.tif 000006